(57)【要約】【課題】戸袋内の点検清掃を容易に行うことができる戸袋付き引戸ユニットの提供。【解決手段】引戸１と、引戸１を収納する戸袋２とを備え、戸袋２は、引戸１が進入する開口部２０の縁部２ａに沿った部分が、第１の片開戸２１で構成され、引戸１は、戸尻側の端縁１ａの一部分に沿った部分が、第２の片開戸１１で構成されている。【選択図】図２
0003218110.tif 000002
【実用新案登録請求の範囲】
【請求項１】
引戸と、前記引戸を収納する戸袋と、を備えた戸袋付き引戸ユニットであって、
前記戸袋は、前記引戸が進入する開口部の縁部の少なくとも下端部を含む部分に沿った部分が、第１の片開戸で構成されている
ことを特徴とする、戸袋付き引戸ユニット。
【請求項２】
前記第１の片開戸は、前記開口部の縁部と反対側の部分が、上下方向に延びる回転軸線を中心に回動する丁番によって、前記戸袋に取り付けられている
ことを特徴とする、請求項１記載の戸袋付き引戸ユニット。
【請求項３】
前記引戸は、戸尻側の端縁の少なくとも一部分に沿った部分が、第２の片開戸で構成されている
ことを特徴とする、請求項１又は２記載の戸袋付き引戸ユニット。
【請求項４】
前記第２の片開戸は、前記戸尻側の端縁と反対側の部分が、上下方向に延びる回転軸線を中心に回動する丁番によって、前記引戸に取り付けられている
ことを特徴とする、請求項３記載の戸袋付き引戸ユニット。
【請求項５】
前記第２の片開戸は、前記第１の片開戸の上下方向の範囲内に配置されている
ことを特徴とする、請求項３又は４記載の戸袋付き引戸ユニット。
【考案の詳細な説明】
【技術分野】
【０００１】
本考案は、戸袋付き引戸ユニットに係り、より詳細には、引戸と引戸を収納可能な戸袋とから構成された戸袋付き引戸ユニットに関する。
【背景技術】
【０００２】
引戸（スライドドア）を設置する場合には、出入口となる引戸の幅員に加えて、引戸の戸尻側に、全開時の引戸を収容するための幅員が必要となる。一般に、住宅用途の建築物では、引戸の戸尻側の幅員空間の室外側又は室内側を壁材等の面材で塞ぐことによって、この幅員空間に小壁を形成している。
【０００３】
一方、病院、福祉施設、保育園及び学校のような公共性の高い用途の建築物では、引戸の出入口の幅員を広くする必要があるため、引戸の戸尻側の幅員も広く確保する必要がある。さらに、障害者等への配慮の必要性から引戸の戸尻側の幅員空間にも手摺の設置場所を確保する必要がある。このため、公共性の高い用途の建築物では、室外側（廊下側）、室内側の両方の壁面を有効活用できるように、図１（ａ）に示すように、引戸１０１の戸尻側に戸袋１０２を設けた戸袋付き引戸が多く用いられてきた。
【０００４】
従来の戸袋付引戸ユニットの一例が、特許文献１に記載されている。特許文献１には、戸袋内の引戸走行案内部の点検を作業性良く行うために、戸袋壁本体の外面を覆って配置され、着脱可能に支持された戸袋壁表面パネルを備えた戸袋付き引戸ユニットが記載されている。
【先行技術文献】
【特許文献】
【０００５】
【特許文献１】特開２００７−３１９７５号公報
【考案の概要】
【考案が解決しようとする課題】
【０００６】
戸袋付き引戸においては、引戸が進入する戸袋開口部と引戸との間、具体的には、戸袋の枠材や床材と引戸との間に隙間があるため、この隙間から、埃や紙屑などのごみが戸袋内部空間へ侵入してしまう。そのうえ、戸袋の内部空間１０３へ侵入したごみは、引戸の開閉によって、戸袋内の奥深くまで押し込まれてしまう。
図１（ｂ）に示すように、戸袋内部空間１０３は、戸袋１０２を構成する壁材などの面材と引戸１０１の戸尻とによって概ね閉鎖されているため、戸袋内部空間に箒や掃除機を挿入してごみを取り除くには、引戸１０１を取り外す必要がある。
ところが、一般に、懸架式の引戸は、安全性確保の観点から容易に取り外せない機構を備えているうえ、引戸の重量は軽いものでも３０ｋｇに達するため、引戸の取り外しは、専門知識を有する者が行うことになる。
このため、戸袋内を日常的に清掃することは、実際には困難であり、かかる事情が、専門知識を有する者が定期的に引戸を取り外すことができない用途の建築物への戸袋付き引戸の設置の妨げとなっていた。
【０００７】
本考案は、上記の事情に鑑みてなされたものであり、戸袋内の点検清掃を容易に行うことができる戸袋付き引戸ユニットを提供することを目的としている。
【課題を解決するための手段】
【０００８】
上記の目的を達成するために、本考案の戸袋付き引戸ユニットは、引戸と、前記引戸を収納する戸袋と、を備えた戸袋付き引戸ユニットであって、前記戸袋は、前記引戸が進入する開口部の縁の少なくとも下端部を含む部分に沿った部分が、第１の片開戸で構成されていることを特徴としている。
【考案の効果】
【０００９】
本考案の戸袋付き引戸ユニットは、戸袋の開口部の縁の少なくとも下端部を含む部分に沿った部分が、第１の片開戸で構成されている。この第１の片開戸を開くことにより、開口部が拡張される。これにより、この拡張された開口部から戸袋内を覗き込んで点検したり、箒や掃除機といった清掃用具を戸袋内へ挿入して、戸袋内を清掃したりすることができる。
このように、本考案の戸袋付き引戸ユニットによれば、戸袋内の点検清掃を容易に行うことができる。
【図面の簡単な説明】
【００１０】
【図１】（ａ）は、従来の戸袋付き引戸ユニットの正面図であり、（ｂ）は、（ａ）のＩ−Ｉ線に沿った横断面図である。
【図２】本考案の実施形態に係る戸袋付き引戸ユニットの全閉時の横断面図である。
【図３】引戸を全閉状態にした戸袋付き引戸ユニットを示す斜視図である。
【図４】戸袋の第１の片開戸を開いた戸袋付き引戸ユニットを示す斜視図である。
【図５】引戸の第２の片開戸を開いた戸袋付き引戸ユニットを示す斜視図である。
【考案を実施するための形態】
【００１１】
以下、図面を参照して本考案の実施形態を説明する。
図２に、本実施形態の戸袋付き引戸ユニットの横断面図を示す。同図に示すように、本実施形態の戸袋付き引戸ユニットは、引戸１と、引戸１を収納する戸袋２とを備え、戸袋２のうち、引戸１が進入する開口部２０の縁２ａに沿った部分に、第１の片開戸（点検用小扉）２１が設けられている。第１の片開戸２１は、開口部２０の縁部２ａと反対側の部分が、上下方向に延びる回転軸線を中心に回動する丁番２２によって、戸袋２に取り付けられている。
【００１２】
また、引戸１は、戸尻側の端縁１ａに沿った部分に、第２の片開戸（引戸内蔵扉）１１が設けられている。第２の片開戸１１は、戸尻側の端縁１ａと反対側の部分が、上下方向に延びる回転軸線を中心に回動する丁番１２によって、引戸１の本体部１０に取り付けられている。
【００１３】
次に、図３〜図５を参照して、戸袋２の内部空間３の点検や、内部空間３に入り込んだごみを清掃する際の本実施形態の戸袋付き引戸ユニットの操作を説明する。
戸袋内の点検清掃を行う際には、まず、図３に示すように、引戸１を全閉する。
続いて、図３中に矢印Ａで示すように、戸袋２の第１の片開戸２１を開く。
【００１４】
図４に、第１の片開戸２１を開いた戸袋付き引戸ユニットを示す。同図に示すように、第１の片開戸２１は、戸袋２の開口部２０の縁部２ａに沿った部分が、開口部２０の上下方向のほぼ全長に亘って、小扉として開閉する。第１の片開戸２１の幅は、例えば、箒や掃除機のノズルが戸袋内へ挿入できるものであればよい。
続いて、図４中に矢印Ｂで示すように、引戸１の第２の片開戸１１を開く。
【００１５】
図５に、更に第２の片開戸１１を開いた戸袋付き引き戸ユニットを示す。同図に示すように、第２の片開戸１１は、引戸１の上下方向の中央付近を含む部分で、内蔵扉として開閉する。
第２の片開戸１１は、第１の片開戸２１の上下方向の範囲内に配置されている。そして、図２に示したように、引戸１の戸尻の端縁１ａは、引戸１が全閉状態であっても、戸袋２の開口部２０の内側に位置しているため、第１の片開戸２１が開いた状態でなければ、第２の片開戸１１は開かない。
【００１６】
また、第２の片開戸１１の幅は、例えば、第２の片開戸１１を開いた空間に、点検清掃を行う作業者の頭部が入るものであることが好ましい。
これにより、作業者は、戸袋内を、図５中に矢印Ｃで示す方向に容易に目視することができ、目視しながら、点検清掃を容易に行うことができる。
【００１７】
以上、本考案の実施形態を説明したが、本考案は、上述した実施形態に限定されるものではなく、本考案の範囲で種々の変更実施が可能である。例えば、上述した実施形態では、引戸１に第２の片開戸１１を備えた戸袋付き引戸ユニットの例を説明したが、本考案では、必ずしも引戸に第２の片開戸を設ける必要はない。
【００１８】
また、上述した実施形態では、戸袋２の開口部２０の縁部２ａに沿った部分が、開口部２０の上下方向のほぼ全長に亘って開閉する第１の片開戸２１の例を説明したが、本考案においては、第１の片開戸は、戸袋の開口部の縁部の少なくとも下端部を含む部分に配置されていればよく、例えば、開口部の上下方向の下半分の縁部に沿った部分が開閉するようにしてもよい。
また、例えば、上述した実施形態では、第２の片開戸１１を内蔵扉として設けた例を説明したが、本考案では、第２の片開戸は、引戸の戸尻側の端縁の上下方向のほぼ全長に亘って開閉するようにしてもよい。
【産業上の利用可能性】
【００１９】
本考案の戸袋付き引戸ユニットは、例えば、医療施設や、老人ホームのような福祉施設、及び、小規模住宅等をはじめとする種々の建築物に設置して好適である。
【符号の説明】
【００２０】
１  引戸
１ａ  戸尻側の端縁
２  戸袋
２ａ  縁部
３  内部空間
１０  引戸の本体部
１１  第２の片開戸
１２  丁番
２０  開口部
２１  第１の片開戸
２２  丁番
【図１】
0003218110.tif 000003
【図２】
0003218110.tif 000004
【図３】
0003218110.tif 000005
【図４】
0003218110.tif 000006
【図５】
0003218110.tif 000007